(57)【要約】【課題】在庫照合情報をユーザに効率的に提供することができる在庫照合システム、在庫照合方法及び在庫照合プログラムを提供する。【解決手段】ナビゲーションユニット３１は、ユーザが所有する消耗品の在庫に関する在庫品目データＤ２を取得する。また、ユーザの車両が駐車した施設を判断し、駐車した施設と、当該施設で販売する消耗品とを関連付けた販売品目データ４８を取得する。さらに、取得した販売品目データ４８と在庫品目データＤ２とを照合して、在庫品目データＤ２の中から、当該施設で購入可能であると推定される品目の在庫品目又は品目カテゴリを選択する。そして、選択した在庫品目又は品目カテゴリを、ユーザが閲覧可能なタッチパネルディスプレイ４６に出力する。【選択図】図４
2010117788.tif 000002
【特許請求の範囲】
【請求項１】
ユーザが所有する消耗品の在庫情報を取得する在庫情報取得手段と、
前記ユーザの車両が施設に駐車した際に、当該車両が駐車した施設を判断する施設判断手段と、
前記車両が駐車した施設と当該施設で販売する消耗品とを関連付けた販売品目情報を取得する販売品目取得手段と、
前記取得した販売品目情報と前記在庫情報とを照合して、前記在庫情報の中から、当該施設で購入可能であると推定される消耗品の在庫情報を選択する在庫情報選択手段と、
前記選択した在庫情報に関する案内を、前記ユーザが閲覧可能な出力端末に出力する出力制御手段とを備えたことを特徴とする在庫照合システム。
【請求項２】
請求項１に記載の在庫照合システムにおいて、
前記在庫情報は、前記消耗品が収納された収納庫の扉が閉められた際に撮影された撮影データに基づく情報であることを特徴とする在庫照合システム。
【請求項３】
請求項１又は２に記載の在庫照合システムにおいて、
前記在庫情報取得手段は、
前記車両が、前記ユーザが所有する消耗品が存在する所定地点を出発する際に、前記在庫情報を取得することを特徴とする在庫照合システム。
【請求項４】
ユーザが所有する消耗品の在庫を照合する制御手段を用いた在庫照合方法において、
前記制御手段が、
ユーザが所有する消耗品の在庫情報を取得し、
前記ユーザの車両が施設に駐車した際に、当該車両が駐車した施設を判断し、
前記車両が駐車した施設と当該施設で販売する消耗品とを関連付けた販売品目情報を取得し、
前記取得した販売品目情報と前記在庫情報とを照合して、前記在庫情報の中から、当該施設で購入可能であると推定される消耗品の前記在庫情報を選択し、
前記選択した在庫情報に関する案内を、前記ユーザが閲覧可能な出力端末に出力することを特徴とする在庫照合方法。
【請求項５】
ユーザが所有する消耗品の在庫を照合する制御手段を用いる在庫照合プログラムにおいて、
前記制御手段を、
ユーザが所有する消耗品の在庫情報を取得する在庫情報取得手段と、
前記ユーザの車両が施設に駐車した際に、当該車両が駐車した施設を判断する施設判断手段と、
前記車両が駐車した施設と当該施設で販売する消耗品とを関連付けた販売品目情報を取得する販売品目取得手段と、
前記取得した販売品目情報と前記在庫情報とを照合して、前記在庫情報の中から、当該施設で購入可能であると推定される消耗品の在庫情報を選択する在庫情報選択手段と、
前記選択した在庫情報に関する案内を、前記ユーザが閲覧可能な出力端末に出力する出力制御手段として機能させることを特徴とする在庫照合プログラム。
【発明の詳細な説明】
【技術分野】
【０００１】
本発明は、在庫照合システム、在庫照合方法及び在庫照合プログラムに関する。
【背景技術】
【０００２】
最近、ユーザが所有する家電製品、携帯電話等の各種端末を、ＬＡＮ（Local Area Network）や、インターネットや携帯電話網等によって接続するシステムが提案されている。例えば、特許文献１には、冷蔵庫の内部を撮影した撮影データを、ユーザの携帯電話に送信するシステムが記載されている。このシステムを用いることにより、ユーザは外出先から冷蔵庫の在庫状況を確認することができる。
【特許文献１】特開２００７−４６８４３号公報
【発明の開示】
【発明が解決しようとする課題】
【０００３】
しかし、上記システムを用いた場合、ユーザの状況に関わらず、必要性の低い在庫情報も送信されてしまう可能性がある。また、冷蔵庫以外の複数の収納庫に対する在庫情報を送信することを想定した場合、複数の在庫情報が、ユーザの状況を問わず送信されてしまう。従って、ユーザは、送信された在庫情報の中から必要性の高い在庫情報を探さなければならず、在庫情報の確認の際にユーザが煩わしさを感じる可能性があり、在庫を確認するためのシステムの使用性が低下する。また、不必要な在庫情報を送信すると、在庫情報を送信する際の通信コストも嵩む可能性がある。
【０００４】
本発明は、上記問題点に鑑みてなされたものであり、その目的は、在庫照合情報をユーザに効率的に提供することができる在庫照合システム、在庫照合方法及び在庫照合プログラムを提供することにある。
【課題を解決するための手段】
【０００５】
上記問題点を解決するために、請求項１に記載の発明は、ユーザが所有する消耗品の在庫情報を取得する在庫情報取得手段と、前記ユーザの車両が施設に駐車した際に、当該車両が駐車した施設を判断する施設判断手段と、前記車両が駐車した施設と当該施設で販売する消耗品とを関連付けた販売品目情報を取得する販売品目取得手段と、前記取得した販売品目情報と前記在庫情報とを照合して、前記在庫情報の中から、当該施設で購入可能であると推定される消耗品の在庫情報を選択する在庫情報選択手段と、前記選択した在庫情報に関する案内を、前記ユーザが閲覧可能な出力端末に出力する出力制御手段とを備えたことを要旨とする。
【０００６】
この構成によれば、車両が駐車した際に、駐車した施設に応じた在庫情報が、ユーザが閲覧可能な出力端末に出力される。従って、例えば、これから施設を利用するとき、即ち在庫確認が必要な状況下で、必要性が高いと推定される在庫情報をユーザに提供することができる。これにより、ユーザは必要性の高い在庫情報を効率よく確認することが出来る。
【０００７】
請求項２に記載の発明は、請求項１に記載の在庫照合システムにおいて、前記在庫情報は、前記消耗品が収納された収納庫の扉が閉められた際に撮影された撮影データに基づく情報であることを要旨とする。
【０００８】
この構成によれば、在庫情報は、消耗品が収納された収納庫の扉が閉められた際に撮影された撮影データに基づく情報である。従って、扉が閉められた後は収納庫の在庫状況が
変化しないため、現在の消耗品の在庫状況を示す正確な情報を取得することができ、ユーザは正確な情報に基づいて在庫照合を行うことができる。
【０００９】
請求項３に記載の発明は、請求項１又は２に記載の在庫照合システムにおいて、前記在庫情報取得手段は、前記車両が、前記ユーザが所有する消耗品が存在する所定地点を出発する際に、前記在庫情報を取得することを要旨とする。
【００１０】
この構成によれば、消耗品情報は、ユーザが所有する消耗品が存在する所定地点を出発する際に取得される。従って、車両が所定地点を出発した後は、そのユーザによって収納庫の在庫状況を変えることができないため、現在の消耗品の在庫状況を示す正確な情報を取得することができ、ユーザは正確な情報に基づいて在庫照合を行うことができる。
【００１１】
請求項４に記載の発明は、ユーザが所有する消耗品の在庫を照合する制御手段を用いた在庫照合方法において、前記制御手段が、ユーザが所有する消耗品の在庫情報を取得し、前記ユーザの車両が施設に駐車した際に、当該車両が駐車した施設を判断し、前記車両が駐車した施設と当該施設で販売する消耗品とを関連付けた販売品目情報を取得し、前記取得した販売品目情報と前記在庫情報とを照合して、前記在庫情報の中から、当該施設で購入可能であると推定される消耗品の前記在庫情報を選択し、前記選択した在庫情報に関する案内を、前記ユーザが閲覧可能な出力端末に出力することを要旨とする。
【００１２】
この発明によれば、車両が駐車した際に、駐車した施設に応じた在庫情報が、ユーザが閲覧可能な出力端末に出力される。従って、例えば、これから施設を利用するとき、即ち在庫確認が必要な状況下で、必要性が高いと推定される在庫情報をユーザに提供することができる。これにより、ユーザは必要性の高い在庫情報を効率よく確認することが出来る。
【００１３】
請求項５に記載の発明は、ユーザが所有する消耗品の在庫を照合する制御手段を用いる在庫照合プログラムにおいて、前記制御手段を、ユーザが所有する消耗品の在庫情報を取得する在庫情報取得手段と、前記ユーザの車両が施設に駐車した際に、当該車両が駐車した施設を判断する施設判断手段と、前記車両が駐車した施設と当該施設で販売する消耗品とを関連付けた販売品目情報を取得する販売品目取得手段と、前記取得した販売品目情報と前記在庫情報とを照合して、前記在庫情報の中から、当該施設で購入可能であると推定される消耗品の在庫情報を選択する在庫情報選択手段と、前記選択した在庫情報に関する案内を、前記ユーザが閲覧可能な出力端末に出力する出力制御手段として機能させることを要旨とする。
【００１４】
この構成によれば、在庫照合プログラムに従って、車両が駐車した際に、駐車した施設に応じた在庫情報が、ユーザが閲覧可能な出力端末に出力される。従って、例えば、これから施設を利用するとき、即ち在庫確認が必要な状況下で、必要性が高いと推定される在庫情報をユーザに提供することができる。これにより、ユーザは必要性の高い在庫情報を効率よく確認することが出来る。
【発明を実施するための最良の形態】
【００１５】
（第１実施形態）
以下、本発明を具体化した一実施形態を図１〜図１２に従って説明する。図１は、ユーザの自宅（所定地点）に構築された在庫照合システム１を示す。在庫照合システム１は、消耗品を収納し、自宅内に設置された各収納庫の在庫を一括して管理するホームサーバ１０を有している。消耗品は、食料品、日用品等、使用に伴い消耗される物品である。このホームサーバ１０は、ＬＡＮを介して、各在庫照合部１１〜１３とそれぞれ接続されている。
【００１６】
第１の在庫照合部１１は、冷蔵庫２の在庫を照合するためのマイクロコンピュータであって、冷蔵庫２に取り付けられた扉センサ２Ａ、カメラ２Ｂ、バーコードリーダ２Ｃと接続されている。この在庫照合部１１は、冷蔵庫２に内蔵されていても良いし、冷蔵庫２の近傍等に設置されていてもよい。
【００１７】
扉センサ２Ａは、冷蔵庫２の各扉の開閉を検出する接触式のスイッチ、又は発光部と受光部からなる光学式センサからなる。扉が開けられると、オフ信号を在庫照合部１１に送信し、扉が閉められると、オン信号を在庫照合部１１に送信する。扉センサ２Ａは、冷蔵庫２の全ての扉に取り付けられてもよいし、一部の扉に取り付けられてもよい。
【００１８】
カメラ２Ｂは、冷蔵庫２の内側に、冷蔵庫２の内部を撮影可能に取り付けられている。このカメラ２Ｂには、投光部が取り付けられ、撮影時には投光部を駆動して、冷蔵庫内を照射する。尚、カメラ２Ｂは、複数に区画された冷蔵室・冷凍室の全てに取り付けられていてもよいし、一部に取り付けられていてもよい。また、１つの冷蔵室又は冷凍室に対して、１つのカメラ２Ｂを取り付けてもよいし、複数のカメラ２Ｂを取り付けてもよい。
【００１９】
バーコードリーダ２Ｃは、冷蔵庫２の外側又は内側に取り付けられている。ユーザが、バーコードリーダ２Ｃに対し、商品に印字されたバーコードを走査させると、バーコードリーダ２Ｃが、そのバーコードを読み取る。ユーザは、冷蔵庫２に、新たな収納物を収納する際、その収納物のバーコードをバーコードリーダ２Ｃに読み取らせる。また、その収納物を冷蔵庫２に収納する必要がなくなると、再びその収納物のバーコードをバーコードリーダ２Ｃに読み取らせ、冷蔵庫２から除く物として認識させる。バーコードリーダ２Ｃは、読み取ったコードを、例えば文字データ等、ホームサーバ１０等が解読可能なデータ形式の品目データに変換して、在庫照合部１１に送信する。
【００２０】
在庫照合部１１は、扉センサ２Ａからオフ信号を入力した後に、オン信号を入力すると、扉が閉められたと判断する。そして、扉が閉められた後は、次に開けられるまでは冷蔵庫内の在庫状況が変化しないため、カメラ２Ｂを駆動して、冷蔵庫内を撮影する。そして、カメラ２Ｂから、在庫情報としての撮影データＤ１を取得すると、その撮影データＤ１をホームサーバ１０に送信する。尚、在庫照合部１１は、撮影データＤ１を用いて、収納物を認識する画像処理を行ってもよい。この場合、例えば、収納物に印字されたバーコード又は２次元コード等を解析して、品目データを生成し、生成した品目データをホームサーバ１０に送信してもよい。
【００２１】
また在庫照合部１１は、バーコードリーダ２Ｃから、バーコードを読み取った品目データを受信すると、その品目データをホームサーバ１０に送信する。
第２の在庫照合部１２は、各種日用品を収納する日用品収納庫３の在庫を照合するためのマイクロコンピュータである。この在庫照合部１２は、日用品収納庫３に取り付けられた扉センサ３Ａ、カメラ３Ｂ、バーコードリーダ３Ｃと接続されている。これらの扉センサ３Ａ、カメラ３Ｂ、バーコードリーダ３Ｃは、上記した扉センサ２Ａ、カメラ２Ｂ、バーコードリーダ２Ｃと同様な構成である。
【００２２】
第３の在庫照合部１３は、常温保存の食料品を収納する食料庫４の在庫を照合するためのマイクロコンピュータである。この在庫照合部１３は、食料庫４に取り付けられた扉センサ４Ａ、カメラ４Ｂ、バーコードリーダ４Ｃと接続されている。これらの扉センサ４Ａ、カメラ４Ｂ、バーコードリーダ４Ｃは、上記した扉センサ２Ａ、カメラ２Ｂ、バーコードリーダ２Ｃと同様な構成である。
【００２３】
ホームサーバ１０は、各在庫照合部１１〜１３から送信された撮影データ及び品目デー
タを受信し、受信した各データを記憶する。また、ホームサーバ１０は、上記ユーザが使用する車両に搭載されたナビゲーションシステム３０に接続可能となっている。車両が自宅に併設された駐車場に駐車している場合には、ホームサーバ１０とナビゲーションシステム３０とは、無線ＬＡＮや、電力線通信等によって接続されている。車両が自宅を離れた場合には、ホームサーバ１０は、インターネットや携帯電話網等を介して、出力端末としてのナビゲーションシステム３０に接続する。
（ホームサーバの構成）
次に、ホームサーバ１０の構成について、図２に従って説明する。ホームサーバ１０は、制御部２０、通信インターフェース（Ｉ／Ｆ）２１、撮影データ記憶部２２及び在庫品目記憶部２３を備えている。
【００２４】
制御部２０は、ＣＰＵ、ＲＡＭ、ＲＯＭを備えるとともに、短距離通信用のＩ／Ｆ及び携帯電話網等の外部ネットワーク用のＩ／Ｆを有する通信Ｉ／Ｆ２１を備えている。
撮影データ記憶部２２には、各在庫照合部１１〜１３から取得した撮影データＤ１が記憶されている。撮影データＤ１は、撮影日時、品目カテゴリ等が関連付けられて記憶されている。制御部２０は、各在庫照合部１１〜１３から品目データを受信した際、その在庫照合部１１〜１３に関連付けられた品目カテゴリを、撮影データＤ１に付与する。例えば、冷蔵庫２の在庫照合部１１には、「食料品」といった品目カテゴリが関連付けられており、在庫照合部１１から受信した撮影データＤ１には、「食料品」といった品目カテゴリを自動的に付与する。
【００２５】
在庫品目記憶部２３には、各在庫照合部１１〜１３から取得した品目データを用いた、在庫情報としての在庫品目データＤ２が記憶されている。図３に示すように、在庫品目データＤ２は、収納庫識別子Ｄ２０と、品目カテゴリＤ２１と、在庫品目Ｄ２２と、初回収納日Ｄ２３と、除外日Ｄ２４とを備えている。収納庫識別子Ｄ２０は、「冷蔵庫」等の収納庫を示す。品目カテゴリＤ２１は、「食料品」、「日用品」等のカテゴリを示す。在庫品目Ｄ２２は、各収納庫に収納されている、或いは除外されてから所定期間（例えば１週間）経過した収納物の品目（又は商品名）を示す。初回収納日Ｄ２３は、ユーザが収納物に印字されたバーコードをバーコードリーダ２Ｃ〜４Ｃに最初に読み取らせた日時を示す。除外日Ｄ２４は、収納物に印字されたバーコードを２回目にバーコードリーダ２Ｃ〜４Ｃに読み取らせた日時を示す。或いは、品目データが、バーコード又は２次元コードを画像認識することにより生成された場合には、初回収納日Ｄ２３は、バーコード又は２次元コードを画像認識した日時等を示し、除外日Ｄ２４は、バーコード又は２次元コードを画像認識できなくなった日時を示す。
【００２６】
この在庫品目データＤ２は、制御部２０が、各在庫照合部１１〜１３から品目データを受信した際に更新される。品目データがバーコードに基づくデータである場合、制御部２０が品目データを受信すると、同じ品目データが在庫品目データＤ２内に含まれているか否かを判断する。受信した品目データが、在庫品目データＤ２内に含まれていない場合、新たに収納庫に収納された品目であるとして、在庫品目データＤ２にその品目データを追加するとともに、初回収納日Ｄ２３に、収納された日時を記憶する。一方、受信した品目データが、在庫品目データＤ２に含まれている場合、その収納物が収納庫から除外されたものとして、その品目データに対応する除外日Ｄ２４に、除外された日時を記憶する。
【００２７】
一方、品目データが撮影データに基づくデータである場合、在庫照合部１１〜１３から受信した品目データが、在庫品目データＤ２に含まれているか否かを判断する。在庫品目データＤ２内に含まれていない場合、新たに収納庫に収納された品目であるとして、在庫品目データＤ２にその品目データを追加するとともに、初回収納日Ｄ２３に、収納された日時を記憶する。一方、受信した品目データに無い品目が、在庫品目データＤ２中にある場合、その品目の除外日Ｄ２４に、除外された日時を記憶する。
【００２８】
また、制御部２０は、定期的に在庫品目データＤ２を検索し、除外日Ｄ２４から所定期間（例えば、１週間）を経過したデータを削除する。これにより、収納庫に収納されている収納物の在庫品目データＤ２と、収納庫から除外されてから所定期間以内の在庫品目データＤ２とが在庫品目記憶部２３に格納される。尚、品目カテゴリＤ２１によって、データを削除するタイミングを変更してもよい。例えば、「食料品」といった品目カテゴリＤ２１の場合、上記所定期間を、例えば１週間等、比較的短くし、「日用品」といった品目カテゴリＤ２１の場合、上記所定期間を、例えば１年等、比較的長くしてもよい。このようにすると、「風邪薬」、「マスク」等、特定の季節に使用頻度が多い消耗品、特定の季節にしか使用しない消耗品の在庫品目データＤ２を、収納庫から除外された後も長く格納することができるため、それらの消耗品が収納されているか否かを、それらの消耗品が必要なタイミングで確認することができる。
（ナビゲーションシステムの構成）
次に、ナビゲーションシステム３０の構成について図４に従って説明する。ナビゲーションシステム３０は、ＣＰＵ、ＲＡＭ、ＲＯＭ及び通信Ｉ／Ｆを備えたナビゲーションユニット３１を有している。このナビゲーションユニット３１は、在庫情報取得手段、施設判断手段、販売品目取得手段、在庫情報選択手段、出力制御手段、及び制御手段に対応する。
【００２９】
ナビゲーションユニット３１は、位置検出センサ３２から、検出信号を取得して、自車位置を算出する。本実施形態では、位置検出センサ３２は、ＧＰＳ受信部３３、車速センサ３４、及びジャイロ３５等からなり、ナビゲーションユニット３１は、ＧＰＳ受信部３３に基づき、緯度・経度等の絶対位置を検出し、車速センサ３４及びジャイロ３５等に基づき自律航法により基準位置からの相対位置を算出する。そして、相対位置及び絶対位置に基づき自車位置を特定する。
【００３０】
また、ナビゲーションユニット３１は、イグニッション（ＩＧ）モジュール３６から、ＡＣＣスイッチのオン信号及びオフ信号を入力する。さらに、ナビゲーションシステム３０は、光ディスク又はハードディスクからなる地理情報記憶部３７を備えている。地理情報記憶部３７には、経路データ３８、地図描画データ３９及びＰＯＩ（Point Of Interest）データ４１が格納されている。
【００３１】
経路データ３８は、全国を区画した所定区域毎のデータであって、リンクデータ、ノードデータ等を有している。ノードは、交差点、道路の端点等を示し、リンクは、各ノード間を接続するデータ要素である。ナビゲーションユニット３１は、この経路データ３８を用いて現在地から目的地までの経路を探索する。
【００３２】
また、地図描画データ３９は、全国の地図を分割したエリア毎に格納され、広域の地図から狭域の地図まで各階層毎に分かれており、背景データ及び道路データを有している。ナビゲーションユニット３１は、上記経路データ又は地図描画データ３９を用いて、自車位置を道路上にマッチングして、現在走行している道路を判断する。
【００３３】
さらに、ＰＯＩデータ４１は、自宅、スーパーマーケット、ホームセンター等といった、ユーザが目的地や経由地にし得る施設や地点に関する情報であって、経路データ３８及び地図描画データ３９に関連付けられている。
【００３４】
図５に示すように、ＰＯＩデータ４１は、地域４１Ａ毎に、「ドラッグストア」、「家電販売店」等の施設ジャンル４１Ｂを有している。各施設ジャンル４１Ｂには、その施設ジャンル４１Ｂに属する店舗情報４１Ｃが紐付けられて記憶されている。店舗情報４１Ｃは、店舗ＩＤ、店舗名、位置、電話番号等を有している。また、店舗情報４１Ｃは、店舗
の領域を示すデータを有しており、このデータには、店舗の領域の外縁を示す座標と、その領域の中心位置とが含まれている。
【００３５】
ナビゲーションユニット３１は、タッチパネルディスプレイ４６のタッチパネル操作に基づき、施設の検索を行う。また、自車位置が、一般道路等から外れた場合等には、ＰＯＩデータ４１を用いて、車両が進入した施設名と施設のジャンル等を判断する。
【００３６】
また、図４に示すように、ナビゲーションシステム３０の撮影データ記憶部４２及び在庫品目記憶部４３には、ホームサーバ１０から受信した撮影データＤ１及び在庫品目データＤ２がそれぞれ格納されている。販売品目記憶部４７には、店舗で販売される品目を示した販売品目情報としての販売品目データ４８が格納されている。販売品目データ４８は、データ配信サーバ（図示略）から、地図描画データ３９等のデータ更新時に併せて定期的に取得され、更新されている。この販売品目データ４８は、施設と、当該施設で販売する消耗品とが関連付けられたデータである。
【００３７】
図６に示すように、販売品目データ４８は、施設ジャンル４８Ａ毎に品目カテゴリ４８Ｂを有している。施設ジャンル４８Ａは、ＰＯＩデータ４１の施設ジャンル４１Ｂと対応しており、「ドラッグストア」、「家電販売店」等といったジャンルを示している。施設ジャンル４８Ａに関連付けられた品目カテゴリ４８Ｂは、そのジャンルの施設で販売されている品目のカテゴリを示しており、在庫品目データＤ２の品目カテゴリＤ２１と対応している。例えば、「ドラッグストア」の施設ジャンル４８Ａには、「日用品」といった品目カテゴリ４８Ｂが関連付けられている。また、品目カテゴリ４８Ｂには、販売品目４８Ｃが関連付けられている。販売品目４８Ｃは、在庫品目データＤ２の在庫品目Ｄ２２と対応しており、「日用品」といった品目カテゴリ４８Ｂには、「石鹸」、「シャンプー」といった販売品目４８Ｃが関連付けられている。また、本実施形態では、「スーパーマーケット」の施設ジャンル４８Ａには、取り扱う製品が多いため、「食料品」といった品目カテゴリ４８Ｂのみが関連付けられ、当該品目カテゴリ４８Ｂには、販売品目４８Ｃが関連付けられていない。
【００３８】
ナビゲーションシステム３０の画像プロセッサ４４は、地図描画データ３９を用いて地図画面をタッチパネルディスプレイ４６に表示する。また、ホームサーバ１０から送信された撮影データＤ１や、在庫品目データＤ２を用いた在庫照合画面をタッチパネルディスプレイ４６に表示する。音声プロセッサ４５は、経路案内音声をスピーカ４９から出力する他、画面操作案内のための音声を出力する。
【００３９】
また、ナビゲーションシステム３０は、ユーザが所有する出力端末としての携帯電話５２（図９参照）と、短距離無線通信又は携帯電話通信網を介して接続可能になっている。ナビゲーションユニット３１は、自宅の在庫を示すデータを、所定のタイミングで携帯電話５２に送信する。
（処理手順）
以下、本実施形態の処理手順について、図７〜図１０に従って説明する。図７は、各在庫照合部１１〜１３による撮影データＤ１の作成処理である。ここでは、冷蔵庫２の在庫照合部１１を例に挙げて説明する。
【００４０】
ステップＳ１において、在庫照合部１１は、冷蔵庫２の扉が開けられたか否かを判断する。上記したように、扉センサ２Ａからオフ信号を入力した場合、冷蔵庫２の扉が開けられたと判断して（ステップＳ１においてＮＯ）、開扉フラグをオン（例えば「１」）にする（ステップＳ２）。尚、開扉フラグの初期値は、オフ（例えば「０」）に設定されている。開扉フラグをオンにすると、ステップＳ１に戻る。
【００４１】
開扉フラグがオンにされた後、ステップＳ１において、扉が開けられたか否かを繰り返し判断する。そして、扉が閉められたとき、扉センサ２Ａからオン信号を入力するので、冷蔵庫２の扉が閉められたと判断して（ステップＳ１においてＹＥＳ）、ステップＳ３に進む。
【００４２】
ステップＳ３では、開扉フラグがオンであるか否かを判断し、扉が開かれた後に、閉められたか否かを判断する。開扉フラグがオンであると判断すると（ステップＳ３においてＹＥＳ）、扉が閉められたと判断し、カメラ２Ｂを駆動して、冷蔵庫２の内部を撮影する（ステップＳ４）。上記したように、扉が閉められた後は冷蔵庫内の在庫状況は変化しないため、その時点で最新の在庫状況を示す撮影データＤ１を生成する。撮影データＤ１を生成すると、撮影日時を付与して、撮影データＤ１をホームサーバ１０に送信する（ステップＳ５）。また、撮影データＤ１をホームサーバ１０に送信すると、開扉フラグをオフにする（ステップＳ６）。
【００４３】
ホームサーバ１０は、在庫照合部１１から撮影データＤ１を受信すると、在庫照合部１１に関連付けられた「食料品」といった品目カテゴリを撮影データＤ１に付与し、その撮影データＤ１を撮影データ記憶部２２に格納する。
【００４４】
また、ユーザが、収納物に印字されたバーコードをバーコードリーダ２Ｃに読み取らせると、在庫照合部１１は、バーコードリーダ２Ｃから品目データを取得する。取得した品目データは、ホームサーバ１０に送信される。ホームサーバ１０は、品目データを受信すると、その品目データを在庫品目データＤ２に反映させる。
【００４５】
次に、ナビゲーションユニット３１による在庫品目取得処理の処理手順について図８に従って説明する。この処理は、車両が自宅を出発する際に実行される。まず、ナビゲーションユニット３１は、ナビゲーションシステム３０の起動を待機する（ステップＳ１１）。本実施形態では、イグニッションモジュール３６からＡＣＣスイッチのオン信号を入力した際に、起動したと判断する。
【００４６】
ナビゲーションシステム３０が起動すると（ステップＳ１１においてＹＥＳ）、その時点で、自車位置が自宅であるか否かをＰＯＩデータ４１等に基づき判断する（ステップＳ１２）。ナビゲーションシステム３０が起動されたときの自車位置が、自宅以外の位置である場合には（ステップＳ１２においてＮＯ）、処理を終了する。
【００４７】
図９に示すように、ナビゲーションシステム３０が起動されたときの車両Ｖの位置が自宅であると判断すると（ステップＳ１２においてＹＥＳ）、ナビゲーションユニット３１は、ホームサーバ１０に接続して、在庫品目データＤ２を取得し（ステップＳ１３）、在庫品目記憶部４３に格納する（ステップＳ１４）。また、ホームサーバ１０から撮影データＤ１を取得し（ステップＳ１５）、取得した撮影データＤ１を撮影データ記憶部４２に格納する（ステップＳ１６）。在庫品目データＤ２及び撮影データＤ１を格納すると、出発時の処理を終了する。
【００４８】
次に、ナビゲーションユニット３１による、在庫照合処理について図１０に従って説明する。在庫照合処理は、在庫品目取得処理の後に実行される。ナビゲーションユニット３１は、車両が駐車したか否かを判断する（ステップＳ２１）。ここでは、例えば、ＡＣＣスイッチがオフ状態とされた場合に、車両が駐車したと判断する。或いは、自車位置が施設内に進入し、車両のシフトポジションがパーキング等に切り換えられた際に、車両が駐車したと判断してもよい。
【００４９】
図９に示すように、自宅を出発した車両が、スーパーマーケット等の施設１０１に行き
、その施設１０１に併設された駐車場等に駐車すると、ナビゲーションユニット３１は、車両が駐車したと判断し（ステップＳ２１においてＹＥＳ）、現在地を取得して、車両が施設に駐車したか否かをＰＯＩデータ４１に基づき判断する（ステップＳ２２）。道路脇等、車両が施設に駐車していない場合には（ステップＳ２２においてＮＯ）、在庫照合を行わずに処理を終了する。
【００５０】
駐車位置が施設内である場合、ナビゲーションユニット３１は、車両が施設に駐車したと判断し（ステップＳ２２においてＹＥＳ）、その施設に対応する販売品目データ４８を販売品目記憶部４７から取得する（ステップＳ２３）。具体的には、車両が駐車した施設の施設ジャンル４１ＢをＰＯＩデータ４１から判断する。さらに、販売品目データ４８のうち、車両が駐車した施設の施設ジャンル４１Ｂに該当するデータを検索し、該当するデータの品目カテゴリ４８Ｂ及び販売品目４８Ｃを販売品目記憶部４７から取得する。例えば、車両が「家電販売店」といった施設ジャンル４１Ｂの施設に駐車した場合、販売品目データ４８の中から、「家電販売店」に関連付けられた品目カテゴリ４８Ｂ及び販売品目４８Ｃを取得する。車両が「スーパーマーケット」といった施設ジャンル４１Ｂの施設に駐車した場合には、販売品目データ４８の中から、「スーパーマーケット」に関連付けられた品目カテゴリ４８Ｂを取得する。
【００５１】
そして、ナビゲーションユニット３１は、取得した品目カテゴリ４８Ｂ又は販売品目４８Ｃと、ステップＳ１３で取得し、在庫品目記憶部４３に格納した在庫品目データＤ２とを照合して、在庫品目データＤ２の中から、その施設で購入可能であると推定される在庫品目Ｄ２２又は品目カテゴリＤ２１があるか否かを判断する（ステップＳ２４）。例えば、取得した販売品目４８Ｃが、「石鹸」、「洗剤」等の日用品である場合、在庫品目データＤ２に、「石鹸」、「洗剤」等の在庫品目Ｄ２２が含まれるか否かを判断する。
【００５２】
駐車した施設で購入可能な在庫品目Ｄ２２又は品目カテゴリＤ２１がないと判断すると（ステップＳ２４においてＮＯ）、照合結果を、ナビゲーションシステム３０のタッチパネルディスプレイ４６に出力する（ステップＳ２５）。例えば、在庫品目データＤ２として、食料品及び日用品に関するデータが格納され、車両が「ゴルフ場」に駐車した場合等、「この施設に関する自宅の在庫情報は特にありません」等の表示がタッチパネルディスプレイ４６に出力される。
【００５３】
一方、在庫品目Ｄ２２又は品目カテゴリＤ２１が、駐車した施設の販売品目４８Ｃに含まれ、施設で購入可能な在庫品目Ｄ２２又は品目カテゴリＤ２１があると判断すると（ステップＳ２４においてＹＥＳ）、その施設の販売品目４８Ｃ又は品目カテゴリ４８Ｂに該当する在庫品目Ｄ２２又は品目カテゴリＤ２１を抽出する（ステップＳ２６）。さらに、抽出した在庫品目Ｄ２２又は品目カテゴリＤ２１を用いてリストを生成し（ステップＳ２７）、生成したリストをタッチパネルディスプレイ４６に出力する（ステップＳ２８）。
【００５４】
例えば、車両が「ドラッグストア」等の日用品販売店に駐車し、在庫品目記憶部４３に格納した在庫品目Ｄ２２に日用品である「石鹸」等が存在する場合、図１１（ａ）に示すようなリスト画面５５が、タッチパネルディスプレイ４６に出力される。リスト画面５５には、日用品販売店に関連する各リスト５５Ａ，５５Ｂが表示されている。リスト５５Ａは、現在、日用品収納庫３に収納されている日用品のリストであって、リスト５５Ｂは、所定時間内に日用品収納庫３から除かれた収納物のリストである。従って、車両が日用品販売店に駐車した場合、日用品販売店に関係のない収納物のリストは表示されず、日用品販売店に関するリスト５５Ａ，５５Ｂのみが表示されるので、ユーザに、必要な場面で必要な在庫情報を提供することができる。従って、ユーザは、不必要な場面で在庫情報を受信したり、不必要な物まで羅列された情報量の多いリストを閲覧したりすることなく、車両を駐車した施設で購入すべきものを容易に判断することができる。尚、リスト５５Ａ，
５５Ｂは、一つのリストにしてもよく、収納庫から除かれた物と収納庫にある物とを区別しないで羅列していてもよい。
【００５５】
また、リスト画面５５には、送信実行部５５Ｃと画像表示部５５Ｄとが表示されている。送信実行部５５Ｃをタッチパネル操作すると、各リスト５５Ａ，５５Ｂが、ユーザの所有する携帯電話５２に送信される（図９参照）。また、画像表示部５５Ｄをタッチパネル操作すると、図１２に示す撮影画像画面５６がタッチパネルディスプレイ４６に出力される。撮影画像画面５６には、リスト５５Ａ，５５Ｂの品目カテゴリに関連付けられた撮影データＤ１に基づく撮影画像５６Ａが表示されている。例えば、図１１（ａ）に示すように、「日用品」のリスト５５Ａ，５５Ｂがリスト画面５５に表示されている場合、そのリスト画面５５から遷移する撮影画像画面５６には、図１２に示すように、「日用品」に関連付けられ、日用品収納庫３の内部を撮影した撮影画像５６Ａが表示される。このため、ユーザは、撮影画像５６Ａを閲覧することにより、収納庫の在庫状況を把握し、思い出すことができる。
【００５６】
また、図１１（ｂ）は、車両が「スーパーマーケット」等に駐車した場合のリスト画面５５を示す。リスト画面５５には、在庫の品目カテゴリＤ２１が「食料品」である在庫品目Ｄ２２がリスト５５Ａ，５５Ｂとなって表示されている。
【００５７】
そして、リスト画面５５の終了実行部５５Ｅがタッチパネル操作されると、ナビゲーションユニット３１は、在庫照合終了であると判断して（ステップＳ２９においてＹＥＳ）、処理を終了する。
【００５８】
従って、ナビゲーションユニット３１は、車両が駐車した際に、駐車した施設に応じた在庫情報を選択してタッチパネルディスプレイ４６に出力するので、ユーザが自らナビゲーションシステム３０や携帯電話５２等の端末を操作しなくても、在庫確認が必要な状況下で、必要な在庫情報をユーザに提供することができる。さらに、ユーザが自ら在庫を確認したい収納庫や品目のカテゴリを選ばなくても、駐車した施設に応じた在庫情報をナビゲーションユニット３１が選択するので、ユーザが在庫情報を探す際の煩わしさを抑制することができる。また、これから施設を利用するとき、即ち在庫確認が必要な状況下で、必要な情報を提供するので、携帯電話５２等で頻繁にデータを受信することによる煩わしさを感じることがない。このため、使用性の高い在庫照合システム１を提供することができる。
【００５９】
上記実施形態によれば、以下のような効果を得ることができる。
（１）上記実施形態では、ナビゲーションユニット３１は、ユーザが所有する消耗品の在庫に関する在庫品目データＤ２をホームサーバ１０から取得する。また、ユーザの車両が駐車した際に、駐車した施設を判断し、車両が駐車した施設と、当該施設で販売する消耗品とを関連付けた販売品目データ４８を取得する。また、取得した販売品目データ４８と在庫品目データＤ２とを照合して、在庫品目データＤ２の中から、当該施設で購入可能であると推定される消耗品の品目カテゴリＤ２１又は在庫品目Ｄ２２を選択し、選択した品目カテゴリＤ２１又は在庫品目Ｄ２２に関する案内を、ユーザが閲覧可能なタッチパネルディスプレイ４６又は携帯電話５２のディスプレイに出力する。従って、これから施設を利用するとき、即ち在庫確認が必要な状況下で、必要な在庫情報をユーザに提供することができる。従って、在庫照合システム１の使用性を向上することができる。
【００６０】
（２）上記実施形態では、撮影データＤ１は、消耗品が収納された収納庫の扉が閉められた際に撮影された撮影データである。従って、扉が閉められた後は収納庫の在庫状況が変化しないため、現在の消耗品の在庫状況を示す正確な情報を取得することができ、ユーザは正確な情報に基づいて在庫照合を行うことができる。
【００６１】
（３）上記実施形態では、ナビゲーションユニット３１は、車両が、ユーザが所有する消耗品が存在する自宅（所定地点）を出発する際に、在庫品目データＤ２を取得する。従って、車両が自宅を出発した後は、そのユーザによって収納庫の在庫状況を変えることはできないため、現在の消耗品の在庫状況を示す正確な情報を取得することができ、ユーザは正確な情報に基づいて在庫照合を行うことができる。
【００６２】
尚、上記実施形態は以下のように変更してもよい。
上記実施形態では、ホームサーバ１０から、ナビゲーションユニット３１に在庫品目データＤ２及び撮影データＤ１を送信するようにしたが、在庫照合部１１〜１３から送信してもよい。
【００６３】
・上記実施形態では、車両の出発時に、ナビゲーションユニット３１が、在庫品目データＤ２及び撮影データＤ１を取得するようにしたが、携帯電話５２が取得するようにしてもよい。この場合、車両が駐車した際に、ナビゲーションユニット３１が、携帯電話５２から在庫品目データＤ２及び撮影データＤ１を取得する。
【００６４】
・上記実施形態では、各収納庫に収納された消耗品の消費期限を記憶するようにしてもよい。消費期限は、バーコードリーダ２Ｃ〜４Ｃや、カメラ２Ｂ〜４Ｂによって取得する。そして、リスト画面５５に、その消耗品の消費期限を表示するようにしてもよい。この場合、例えばリスト画面５５において、消費期限切れの品目を並べたリストを表示するようにしてもよい。
【００６５】
・上記実施形態では、ナビゲーションユニット３１は、車両が自宅を出発する際に在庫品目データＤ２を取得するようにしたが、施設又は店舗に駐車した際に、携帯電話網又はインターネット等の外部ネットワークを介して、ホームサーバ１０から在庫品目データＤ２を取得するようにしてもよい。このようにすると、よりリアルタイム性に優れた在庫品目データＤ２を取得することができる。
【００６６】
・上記実施形態では、販売品目データ４８は、ナビゲーションシステム３０に格納されている態様としたが、図示しない販売管理サーバから取得してもよい。この販売管理サーバは、一つの施設又は複数の施設で販売されている販売品目を記憶するサーバであって、販売者側から提供された販売品目データ４８を格納している。この場合、ナビゲーションユニット３１は、車両がその施設の駐車場に駐車した際に、販売管理サーバから販売品目データ４８を取得し、在庫品目データＤ２と照合して、在庫品目データＤ２の中から、その施設で購入可能であると推定される品目の在庫品目データＤ２を選択する。
【００６７】
・在庫照合システム１は、ユーザの自宅以外の場所に構築されていてもよい。例えば、仲介業者から消耗品を購入する店舗であってもよいし、オフィスでもよい。また、消耗品は、食料品、日用品以外の物でもよい。例えば、複写機のトナーカートリッジや、コピー用紙、衣料品等であってもよい。
【図面の簡単な説明】
【００６８】
【図１】在庫照合システムの概略図。
【図２】ホームサーバのブロック図。
【図３】在庫品目データの模式図。
【図４】ナビゲーションシステムのブロック図。
【図５】ＰＯＩデータの模式図。
【図６】販売品目データの模式図。
【図７】撮影データの作成処理のフローチャート。
【図８】在庫品目取得処理のフローチャート。
【図９】本実施形態の処理手順を説明する概念図。
【図１０】在庫照合処理のフローチャート。
【図１１】（ａ）は日用品販売店に駐車した際に出力される画面、（ｂ）はスーパーマーケットに駐車した際に出力される画面を示す。
【図１２】撮影画像を表示した画面を示す。
【符号の説明】
【００６９】
１…在庫照合システム、３０…出力端末としてのナビゲーションシステム、３１…在庫情報取得手段、施設判断手段、販売品目取得手段、在庫情報選択手段、出力制御手段、及び制御手段としてのナビゲーションユニット、４８…販売品目情報としての販売品目データ、５２…出力端末としての携帯電話、１０１…施設、Ｄ１…在庫情報としての撮影データ、Ｄ２…在庫情報としての在庫品目データ、Ｖ…車両。
【図１】
2010117788.tif 000003
【図２】
2010117788.tif 000004
【図３】
2010117788.tif 000005
【図４】
2010117788.tif 000006
【図５】
2010117788.tif 000007
【図６】
2010117788.tif 000008
【図７】
2010117788.tif 000009
【図８】
2010117788.tif 000010
【図９】
2010117788.tif 000011
【図１０】
2010117788.tif 000012
【図１１】
2010117788.tif 000013
【図１２】
2010117788.tif 000014